(57)【要約】      （修正有）【課題】腔状部の内部を近い距離から確実に照らすことができる医療用器具の照明構造を提供する。【解決手段】脳べら３の表面に透光レンズ部を設け、そこに脳べら３の内部に導入した光ファイバーの先端を臨ませているため、脳べら３自体の透光レンズ部が発光し、その照明光Ｂにより腔状部２の内部を近い位置から確実に明るく照らすことができる。従って、手術顕微鏡４の倍率を上げたことにより、手術顕微鏡４からの照明光Ａだけでは視野内の明るさが不十分になる場合も（顕微鏡は倍率を上げるほど視野が暗くなる）、脳べら３からの照明光Ｂにより腔状部２内が近いところから照らされるため、手術顕微鏡４により腔状部２内の状態を明るい視野で確実に観察することができる。【選択図】図１
2009254566.tif 000002
【特許請求の範囲】
【請求項１】
先端を腔状部に挿入して使用する医療用器具の照明構造であって、
医療用器具の表面に透光レンズ部を設けると共に、該透光レンズ部の裏側に光源を設け、光源から照射した光を透光レンズ部を介して外方に照射させることを特徴とする医療用器具の照明構造。
【請求項２】
前記光源は前記医療用器具の基部から導入した光ファイバーの先端部であって前記透光レンズ部の裏側に臨むものであることを特徴とする請求項１記載の医療用器具の照明構造。
【請求項３】
前記光源は半導体発光素子であって、前記医療器具の基部から電源供給用の配線が導入されることを特徴とする請求項１記載の医療用器具の照明構造。
【請求項４】
医療用器具に凸部を設け、該凸部の表面に透光レンズ部を設けたことを特徴とする請求項１乃至３のいずれか１項記載の医療用器具の照明構造。
【請求項５】
医療用器具が脳べらであることを特徴とする請求項１乃至４のいずれか１項に記載の医療用器具の照明構造。
【請求項６】
前記透光レンズ部は複数の透光レンズ部であって前記医療用器具の表面に分布して設けられ、
前記光源は前記各透光レンズ部の裏側に設けられる複数の光源であることを特徴とする請求項１乃至５のいずれか１項に記載の医療用器具の照明構造。
【発明の詳細な説明】
【技術分野】
【０００１】
本発明は医療用器具の照明構造に関するものである。
【背景技術】
【０００２】
脳神経外科などにおいて行われる手術は、患者の頭部を開頭して形成された穴上の腔状部内で行われる。この腔状部の内部を手術顕微鏡で拡大しながら観察して、腔状部の内部の手術を行う。手術顕微鏡はドクターの作業空間を確保するために、腔状部から離れた位置にあり、手術顕微鏡で観察する際の照明は、手術顕微鏡自体の底面に設けられた照明部より腔状部へ向けて照明光を照射する構造になっている。
【０００３】
手術顕微鏡における照明部の裏側には光ファイバーの先端が臨まされ、光ファイバーの基端から導入されたハロゲン又はキセノンランプ等の光を、光ファイバーを介して照明部へ導き、照明部から腔状部内へ向けて照明光を照射するようになっている（例えば、特許文献１参照）。
【特許文献１】特開２００６−２９６５１６号公報
【発明の開示】
【発明が解決しようとする課題】
【０００４】
しかしながら、このような従来の技術にあっては、腔状部から離れた位置にある手術顕微鏡から腔状部の内部を照らす構造のため、手術顕微鏡の倍率によっては、腔状部内の照明が不十分になるおそれがある。すなわち、腔状部から離れた位置にある手術顕微鏡からの照明では、手術顕微鏡の倍率を上げるほど、視野内が暗くなるため、倍率によっては、腔状部内の照明が不十分になるおそれがある。
【０００５】
本発明は、このような従来の技術に着目してなされたものであり、腔状部の内部を近い距離から確実に照らすことができる医療用器具の照明構造を提供するものである。
【課題を解決するための手段】
【０００６】
請求項１記載の発明は、先端を腔状部に挿入して使用する医療用器具の照明構造であって、医療用器具の表面に透光レンズ部を設けると共に、医療用器具の内部に導入した光ファイバーの先端を前記透光レンズ部の裏側に臨ませ、光ファイバーの先端から照射した光を、透光レンズ部を介して外部へ発光させることを特徴とする。
【０００７】
請求項２記載の発明は、先端を腔状部に挿入して使用する医療用器具の照明構造であって、医療用器具の表面に透光レンズ部を設けると共に、該透光レンズ部の裏側に光源を設け且つ医療用器具の内部に導入した電気供給用の配線を光源に接続し、光源から照射した光を、透光レンズ部を介して外部へ発光させることを特徴とする。
【０００８】
請求項３記載の発明は、医療用器具に凸部を設け、該凸部の表面に透光レンズ部を設けたことを特徴とする。
【０００９】
請求項４記載の発明は、医療用器具が脳べらであることを特徴とする。
【発明の効果】
【００１０】
請求項１記載の発明によれば、腔状部内に挿入して使用される医療用器具自体に透光レンズ部を設け、そこに光ファイバーを介して光を導いているため、光ファイバーの先端からの光が透光レンズ部を介して腔状部内に照射され、腔状部の内部を近い距離から確実に照らすことができる。
【００１１】
請求項２記載の発明によれば、腔状部内に挿入して使用される医療用器具自体に透光レンズ部を設け、そこに設けた光源に配線を介して電気を供給しているため、光源からの光が透光レンズ部を介して腔状部内に照射され、腔状部の内部を近い距離から確実に照らすことができる。
【００１２】
請求項３記載の発明によれば、医療用器具に設けた凸部の表面に透光レンズ部を設けたため、凸部の形状により透光レンズ部の向きを変化させることができ、希望する方向を照らすことができる。
【００１３】
請求項４記載の発明によれば、医療用器具が脳べらであるため、脳神経外科等において、腔状部の内壁を押さえることができると共に、腔状部の深部まで確実に照らすことができる。
【発明を実施するための最良の形態】
【００１４】
（第１実施形態）
図１〜図４は、本発明の第１実施形態を示す図である。患者の頭部１は開頭して腔状部２が形成されている。この腔状部２内で腫瘍の切除手術等が施される。形成された腔状部２は、内壁が脳べら３により押さえられて、広く開いた状態が維持されている。脳べら３は助手等が手で固定しても良いし、手術台に固定された保持具（図示せず）により固定しても良い。
【００１５】
腔状部２の上部には、所定の作業空間Ｓを確保した状態で、手術顕微鏡４が支持されている。手術顕微鏡４の接眼部５からドクターが腔状部２内の状態を拡大した状態で観察することができ、その拡大された視野内で微小な手術が行われる。手術顕微鏡４と腔状部２との間が作業空間Ｓで、この作業空間Ｓにおいて、ドクターは、アシスタントの協力を得ながら、メス等の医療用器具を駆使して手術を行っている。
【００１６】
手術顕微鏡４の底面には照明部６が設けられている。この照明部６の裏側には図示せぬ光ファイバーの先端が臨まされ、光ファイバーの基端から導入されたハロゲン又はキセノンランプ等の光を、光ファイバーを介して照明部６へ導き、照明部６から腔状部内へ向けて照明光Ａを照射し、腔状部２内を上から照らすことができる。
【００１７】
脳べら３はステンレス等の薄い２枚の金属片を溶接により貼り合わせたへら形状をしている。脳べら３には先端に１つ及び片方の表面に３つの透光レンズ部７、８が嵌合状態で設けられている。これらの透光レンズ部７、８は脳べら３の長手方向に沿って並んでいる。この透光レンズ部７、８は耐熱ガラス製で且つ密閉状態で嵌合されている。
【００１８】
脳べら３の内部には、光導波路として４本の光ファイバー９が導入され、その先端がそれぞれ透光レンズ部７、８の裏側に挿入されている。光ファイバー９の基端部１０は束になっており、そこにコネクタ１１を接続することにより、ハロゲン又はキセノン等の光源からの光を導入することができる。したがって、光ファイバーの先端部９ａは二次光源として光ファイバー９に導入された光束を透光レンズ部７，８を介して脳べら３の外方に照射する。
【００１９】
脳べら３は光ファイバー９を内部に有した状態で曲げることが可能で、必要な湾曲状態にして、透光レンズ部７、８が無い方の面により、腔状部２の内壁を押さえることができる。
【００２０】
脳べら３の先端部は、腔状部２の奥深くまで挿入された状態となり、その先端及び表面側には透光レンズ部７、８が分布して設けられているため、光ファイバー９の基端から導入された照明光Ｂは、二次光源としての光ファイバー９の先端９ａから照射された後、透光レンズ部７、８で拡散されて、腔状部２内を照らす。腔状部２の底面２ａも先端の透光レンズ部７からの照明光Ｂにより照らされる。
【００２１】
このように、腔状部２内に挿入して使用される脳べら３自体の透光レンズ部７、８が二次光源となって発光するため、その照明光Ｂにより腔状部２の内部を近い位置から確実に明るく照らすことができる。従って、手術顕微鏡４の倍率を上げたことにより、手術顕微鏡４からの照明光Ａだけでは視野内の明るさが不十分になる場合も（顕微鏡は倍率を上げるほど視野が暗くなる）、脳べら３からの照明光Ｂにより腔状部２内が近いところから照らされるため、手術顕微鏡４により腔状部２内の状態を明るい視野で確実に観察することができる。
【００２２】
全ての光ファイバー９に光を導入して、全ての透光レンズ部７、８を発光させることもできるし、任意の光ファイバー９だけに光を導入して、任意の透光レンズ部７、８だけを発光させるようにしても良い。
【００２３】
（第２実施形態）
図５及び図６は、本発明の第２実施形態を示す図である。本実施形態及び以下の各実施形態は、前記第１実施形態と同様の構成要素を備えている。よって、それら同様の構成要素については共通の符号を付すとともに、重複する説明を省略する。
【００２４】
この実施形態では、脳べら１２の表面に３つの凸部１３を形成した。この凸部１３は下側に下向きの平面部１３ａを有し、その平面部１３ａに透光レンズ部１４が設けられている。従って、透光レンズ部１４も下向きとなる。透光レンズ部１４の裏側には、先の実施形態と同様に光ファイバー９の先端が挿入されている。
【００２５】
この実施形態によれば、凸部１３の下向きの平面部１３ａに透光レンズ部１４が設けられているため、透光レンズ部１４から拡散される照明光Ｂも下向きとなり、特に腔状部２の底面２ａを明るく照らすことができる。
【００２６】
（第３実施形態）
図７及び図８は、本発明の第３実施例を示す図である。この実施形態に係る脳べら１５では、透光レンズ部１６、１７の裏側に微小の光源１８を設け、脳べら１５の基部から内部に導入した配線１９を光源１８に接続し、電気を供給できるようにしている。光源１８は典型的には白色ＬＥＤ等の半導体発光素子（有機半導体素子を含む。）である。
【００２７】
配線１９から光源１８に電気を供給することにより光源１８を点灯させ、その光を透光レンズ部１６、１７を介して照明光Ｂとして拡散させ、腔状部２内を照らすことができる。
【００２８】
全ての光源１８を点灯さても良いし、任意の光源１８だけを点灯させても良い。
【００２９】
（第４実施形態）
図９及び図１０は、本発明の第４実施例を示す図である。この実施形態では、ロート状をした医療用器具２０の先端に４つの透光レンズ部２０を設け、そこに光源として光ファイバー９を導入した構造になっている。このロート形状の医療用器具２０は先端側から腔状部内に挿入されて使用されるもので、その先端に４つの透光レンズ部２１を設けて、そこから光ファイバー９によって導入した光を二次光源としての先端部９ａから照明光Ｂとして拡散させるため、腔状部の内部を明るく照らすことができる。明るく照らされた腔状部内の観察は、ロート状の医療用器具２０の中心の孔から行う。
【００３０】
以上の各実施例では、光ファイバー９により照明用の光を導入する例を示したが、照明用の光に代えて、レーザー光を導入し、そのレーザー光を、特に先端の透光レンズ部７、１６から腔状部２内へ照射することにより、腔状部２内の患部の蛍光励起やレーザー治療を行うこともできる。
【図面の簡単な説明】
【００３１】
【図１】本発明の第１実施形態に係る脳べらが挿入された頭部の腔状部を示す断面図。
【図２】脳べらの先端付近を示す側面図。
【図３】脳べらの先端付近を示す斜視図。
【図４】脳べらの先端付近を示す断面図。
【図５】本発明の第２実施形態に係る脳べらの先端付近を示す斜視図。
【図６】脳べらの先端付近を示す断面図。
【図７】本発明の第３実施形態に係る脳べらの先端付近を示す斜視図。
【図８】脳べらの先端付近を示す断面図。
【図９】本発明の第４実施形態に係るロート状の医療用器具を示す斜視図。
【図１０】ロート状の医療用器具の先端付近を示す断面図。
【符号の説明】
【００３２】
１  頭部
２  腔状部
２ａ  腔状部の底面
３、１２、１５  脳べら（医療用器具）
７、８、１４、１６、１７、２１  透光レンズ部
９  光ファイバー
９ａ  光ファイバー先端部（二次光源）
１３  凸部
１８  光源
１９  配線
２０  ロート状の医療用器具
Ａ  手術顕微鏡からの照明光
Ｂ  透光レンズ部からの照明光
Ｓ  作業空間
【図１】
2009254566.tif 000003
【図２】
2009254566.tif 000004
【図３】
2009254566.tif 000005
【図４】
2009254566.tif 000006
【図５】
2009254566.tif 000007
【図６】
2009254566.tif 000008
【図７】
2009254566.tif 000009
【図８】
2009254566.tif 000010
【図９】
2009254566.tif 000011
【図１０】
2009254566.tif 000012